(57)【要約】      （修正有）【課題】ＬＥＤ広告板のＬＥＤの照度をフルに広告板の表面に集光することで広告媒体をより明るく鮮明に表現し、かつ、エンボス（凹凸）の浮き出しを消滅させて外観上の体裁を良好にするＬＥＤ広告板を提供する。【解決手段】矩形体の透明な二枚のプラスチックシート１と、プラスチックシートの内面に設けたマグネットフィルム７と、プラスチックシートと同形で四隅にマグネット受金具１２を埋設し、縦方向の側面に溝部を設けた透明な主アクリル樹脂板３と、溝部内に配置されたＬＥＤモジュール２と、主アクリル樹脂板と同形で四隅にマグネット受金具を埋設した透明な副アクリル樹脂板４と、主アクリル樹脂板の表面に配線したリード線を有する雌形コネクタ５及び雄形コネクタ６と、主アクリル樹脂板の上面及び下面に設けられた連接用爪金具１０及び連接用受金具１１と、を備え、連接用爪金具と連接用受金具を取付けた板部材を複数個のねじで一体化接続して構成した。【選択図】図１
0003186843.tif 000002
【実用新案登録請求の範囲】
【請求項１】
矩形体を形取った透明な二枚のプラスチックシートの内面に縁取ったマグネットフィルムとこれと同形で四隅の所定の位置にマグネット受金具を埋設した所要厚さを有した縦方向の側面に溝部を設け、この溝内に極小のＬＥＤモジュールを配置するとともに表面の密着面を凹凸にしたいわゆるエンボス処理を施した透明な主アクリル樹脂板とこれと同形で四隅の所定の位置にマグネット受金具を埋設の透明な副アクリル樹脂板と、さらに前記透明な主アクリル樹脂板の該表面の一部に配線したリード線を有する雌形コネクタと雄形コネクタ及び上面の連接用爪金具と下面の連接用受金具を取付けた板部材を複数個のねじで一体化接続して構成したことを特徴とするＬＥＤ広告板。
【考案の詳細な説明】
【技術分野】
【０００１】本考案は、発光ダイオ−ド（以下、ＬＥＤという。）を用いた広告板で特に、透明なアクリル樹脂板との組み合わせで構成された吊下げ形の改良に関する。
【背景技術】
【０００２】昨今、商店のウインドー等には、ＬＥＤを内蔵の照明器具を用いた広告板が普及傾向にある。とりわけ、商店でも不動産物件の吊下げ型見取り図等の夜間営業宣伝手段として最適である。
従来、この種の広告板は、構造的には図３に示すようにいずれも矩形状の透明な第一のアクリル樹脂板（イ）と透明な第二のアクリル樹脂板（ロ）と透明な第三のアクリル樹脂板（ハ）及び不透明な第四のアクリル樹脂（ニ）を重ね合わせ、所定の複数個のねじ（チ）で一体化接続したもので、具体的には前記第二のアクリル樹脂板（ロ）の片側の縦方向には溝部を設けており、この溝内に極小のＬＥＤモジュール（ホ）が配列されている。又、第三のアクリル樹脂板の表面には凹凸のエンボス加工が施されており、ＬＥＤの光源を乱反射により分散させ、さらに、不透明な第四のアクリル樹脂の表面には電源関連のスイッチ（ヘ）とコネクタ（ト）がつながって構成されている。【０００３】しかし、上述の構造のものにおいては、下記の様な問題点があった。
▲１▼ＬＥＤの光源からの発光が不透明なアクリル樹脂板表面のみならず、裏面にも凹凸（エンボス加工部）の影響で乱反射してしまうことから、広告媒体側の面が暗くなり易く、明暗のバラツキが生じる懸念がある。
▲２▼不透明のアクリル樹脂板の表面の凹凸（エンボス加工部）の表面がＬＥＤの発光により広告媒体（宣伝用印刷紙等）を透かして浮き出ることで体裁が悪いという問題がある。
▲３▼肉厚のアクリル樹脂板を複数枚使用して構成されていることから、一個当たりの重量が重くなり、吊下げ個数に制限を受け易い。
【考案の概要】
【考案が解決しようとする課題】
【０００４】本考案は以上の問題点に鑑みなされたものであり、広告媒体は一方のプラスチックシートと透明な主アクリル樹脂板の間隙にセットされる。
新たに介入された副アクリル樹脂板は、あらかじめ、表面を凹凸にしたエンボス加工処理されてある主アクリル樹脂板に密着固定させた後、他方のプラスチックシートを固定する。これにより広告媒体は、一方のプラスチックシートと主アクリル樹脂板間及び他方のプラスチックシートと副アクリル樹脂板間に挟むことにより広告媒体の両面を有効使用でき、又、これまで広告媒体を透して生じていた主アクリル樹脂板表面の凹凸の浮き出し模様も副アクリル樹脂板の挿入により消滅させることができることを目的としている。
【課題を解決するための手段】
【０００５】矩形体を形取った透明の二枚のプラスチックシートの内面に額縁状に縁取ったマグネットフィルムと、前記矩形体と同形で四隅の所定の位置にマグネット受け金具を埋設し、所要厚を有し、左右どちらかの縦方向に施した溝部内に極小のＬＥＤモジュールを配置するとともに表面を凹凸にエンボス加工した透明な主アクリル樹脂板とこれと同形の透明な副アクリル樹脂板（厚さ１．５〜２．５ｍｍ）と、さらに前記透明な主アクリル樹脂板の外表面の一部に配線したリード線を有する雌型及び雄型コネクタと四隅の所定位置に設けたマグネット受け金具と上面には連接用爪金具と下面には連接用受金具を複数個のねじで一体化接続して構成することで、ＬＥＤ光源からの照度を広告媒体に集光させ、かつ、アクリル樹脂板表面の凹凸の浮き出し模様を消滅させたＬＥＤ広告板の提供。
【考案の効果】
【０００６】新たに透明な副アクリル樹脂板を介入し主アクリル樹脂板の凹凸を密着させることでＬＥＤモジュールの光の屈折の変化により照度を広告板表面のみに集光させられることから広告媒体をより明るくすることができる。これと相俟ってエンボスが見えなくなり、広告媒体の両面も有効活用できる。
【図面の簡単な説明】
【０００７】
【図１】本考案のＬＥＤ広告板の平面図及び側面図
【図２】本考案のＬＥＤ広告板の主要構造部の拡大詳細断面図
【図３】従来のＬＥＤ広告板の平面図及び側面図
【考案を実施するための形態】
【０００８】一個当たりの本体重量が軽量となることから連接個数をまとめて吊下げられること、ＬＥＤ光源の集光性が良好になることから、体裁の良い配列が可能となる。
【実施例】
【０００９】以下、本考案品の一実施例について図面を参照して説明する。
図１は、本考案のＬＥＤ広告板の平面図及び側面図であり、１はプラスチックシート、２はＬＥＤモジュール、３は主アクリル樹脂板、４は副アクリル樹脂板、５は雌形コネクタ、６は雄形コネクタ、７はマグネットフィルム、８はリード線、９はねじ、１０は連接用爪金具、１１は連接用受金具、１２はマグネット受金具、Ｐは広告媒体である。【００１０】３の透明な主アクリル樹脂板の上面には複数個の１０の連接用爪金具と下面にはそれに対応の１１の連接用受金具が取り付けてある。
ＬＥＤ広告板の電気的接続方法は、前記８のリード線に接続の５，６の雌雄のコネクタで２のＬＥＤモジュールが発光する。もちろん、電源本体は家庭用商用電源交流１００Ｖから直流アダプタ（図示はしていない。）による方式となる。【００１１】図２は、本考案の主要構造部の拡大詳細断面図であり、発光部となる２のＬＥＤモジュールは透明な３の主アクリル樹脂板の３ａの溝部に配置されている。この透明な３の主アクリル樹脂板の表面には３ｂの凹凸が施されており、透明な１のプラスチックシートをカバーして、これらの下端を９のねじにより接続し一体化している。
なお、透明な３の主アクリル樹脂板の矩形体の四隅の所定の位置には１２のマグネット受金具が埋め込んでいる。さらに、同様に新たに介入の透明な４の副アクリル樹脂板（厚さ１．５〜２．５ｍｍ）にも前記３の主アクリル樹脂板と同じ位置に１２のマグネット受金具を埋め込んでいる。これにより、３の主アクリル樹脂板及び４の副アクリル樹脂板は、前記透明矩形体１のプラスチクシート裏面の額縁状に張り付けられた７のマグネットフィルムで密着係止できるように構成されている。【００１２】Ｐの広告媒体として使用される印刷用紙類の出し入れは、前記透明矩形体１のプラスチックシートをオープンにした状態で、４の副アクリル樹脂板との間隙にもセットしたり、取り外したりは容易かつ、自在にできる。【００１３】以上のように、本考案のＬＥＤ広告板は、従来品の問題点を改良すべく実機を用いて実際に実験した結果に基づいて検証したものであり、それらの問題点を確実に払拭できるものである。
【符号の説明】
【００１４】  １  プラスチックシート
２  ＬＥＤモジュール
３  主アクリル樹脂板
４  副アクリル樹脂板
５  雌形コネクタ
６  雄形コネクタ
７  マグネットフィルム
８  リード線
９  ねじ
１０  連接用爪金具
１１  連接用爪受金具
１２  マグネット受金具
Ｐ  広告媒体
Ｓ  吊下げ穴
【図１】
0003186843.tif 000003
【図２】
0003186843.tif 000004
【図３】
0003186843.tif 000005
【手続補正書】
【提出日】平成25年8月14日(2013.8.14)
【手続補正１】
【補正対象書類名】実用新案登録請求の範囲
【補正対象項目名】全文
【補正方法】変更
【補正の内容】
【実用新案登録請求の範囲】
【請求項１】
矩形体を形取った透明な二枚のプラスチックシートと、前記プラスチックシートの内面を縁取るように設けられたマグネットフィルムと、前記プラスチックシートと同形で四隅の所定の位置にマグネット受金具を埋設し、所要厚さを有し、縦方向の側面に溝部を設けた透明な主アクリル樹脂板と、前記溝部内に配置されたＬＥＤモジュールと、前記主アクリル樹脂板と同形で四隅の所定の位置にマグネット受金具を埋設した透明な副アクリル樹脂板と、前記透明な主アクリル樹脂板の表面の一部に配線したリード線を有する雌形コネクタ及び雄形コネクタと、前記主アクリル樹脂板の上面及び下面にそれぞれ設けられた連接用爪金具及び連接用受金具と、を備えたＬＥＤ広告板であって、前記主アクリル樹脂板と前記ＬＥＤモジュールの密着面にエンボス処理を施し、前記連接用爪金具と前記連接用受金具を取付けた板部材を複数個のねじで一体化接続して構成したことを特徴とするＬＥＤ広告板。